(57)【要約】【課題】適度な弾力性を有するマット、浴槽装置、及びベッドを提供すること、また、それらの加温及び冷却性能の向上に貢献する。【解決手段】マット１００は、不織布２０と、不織布２０を内包する袋部材１０と、袋部材１０に内包される液体３０とを備える。袋部材１０は、ポリエチレン樹脂、ポリプロピレン樹脂、ウレタン樹脂、塩化ビニル樹脂等の不透液性材料により構成される。また、不織布２０は、低融点繊維を高融点繊維に融着することにより低融点繊維を介して高融点繊維間を接合して構成される。このため、所定方向に対しては高い保液性を有する反面、他の所定方向に対しては高い排液性を有する。【選択図】図２
2010051537.tif 000002
【特許請求の範囲】
【請求項１】
低融点繊維を高融点繊維に融着することにより低融点繊維を介して高融点繊維間を接合して構成される不織布と、
前記不織布を内包するとともに不透液性材料により構成される袋部材と、
前記袋部材に内包される液体及び／又は前記液体の蒸気とを備える
マット。
【請求項２】
前記袋部材に前記袋部材の外部と内部とを連通する孔部が形成され、
前記孔部を閉塞する蓋体をさらに備える
請求項１に記載のマット。
【請求項３】
低融点繊維を高融点繊維に融着することにより低融点繊維を介して高融点繊維間を接合して構成される不織布と、前記不織布を内包するとともに透液性材料により構成される袋部材とを有するマットと、
液体を貯留するとともに、前記液体中に前記マットが配置された浴槽とを備える
浴槽装置。
【請求項４】
低融点繊維を高融点繊維に融着することにより低融点繊維を介して高融点繊維間を接合して構成される不織布と、
液体を貯留するとともに、前記液体中に前記不織布の少なくとも一部が配置された浴槽と、
前記不織布及び前記浴槽の上方を覆う不透液性材料により構成されるカバーとを備える
ベッド。
【発明の詳細な説明】
【技術分野】
【０００１】
本発明は、不織布を内包するマット、不織布を内包するマットが浸漬された浴槽を備えた浴槽装置、及び不織布が浸漬された浴槽を備えたベッドに関するものである。
【背景技術】
【０００２】
従来、マットの温度を調節する技術として、保冷機能を有する保冷体を出し入れするための開口部を有する袋体からなるマット（例えば、特許文献１）や、ウォーターマットレス用温度コントローラ（例えば、特許文献２）が開示されている。
【０００３】
特許文献１に開示されるマットは、第１の可撓性シートと第２の可撓性シートを対向させて重ね合わせ、周縁部分のみを部分的に固着させて開口部を形成した袋状の形態を有するものである。第１の可撓性シートは、マットの外表面の側から順に、外側シート、緩衝用シート、アルミシートを積層させてなる。このように緩衝用シートを備えることにより、適度な弾力性を得ることができるため、好的な座り心地を与えることができる。
【０００４】
また、特許文献２に開示されるウォーターマットレス用温度コントローラは、ウォーターマットレス内の水を加温するヒータとウォーターマットレス内における現在温度を測定する温度センサーとを備える。ヒータはウォーターマットレスを包囲するセイフティライナーとセイフティライナーの外側の支持体との間に配設される。また、温度センサーは、セイフティライナーの外側に配設される。
【特許文献１】特開２００４−１７３５１３号公報
【特許文献２】特開平８−２７５８４７号公報
【発明の開示】
【発明が解決しようとする課題】
【０００５】
特許文献１に開示されるマットでは、保冷体の外側に、アルミシート、緩衝用シート、外側シートが積層されるため、マットによる冷却効率が悪くなる。他方、特許文献２に開示されるウォーターマットレス用温度コントローラは、水等の液体のみを緩衝材とすることが前提であるため、心地よい弾力性を得ることができない。
【課題を解決するための手段】
【０００６】
本発明は、上述の技術課題を解決することにより、適度な弾力性を有するマット、そのマットを備える浴槽装置、及び不織布が浸漬された浴槽を備えたベッドを提供するとともに、それらの加温及び冷却性能の向上に大きく貢献するものである。
【０００７】
本発明の１つのマットは、低融点繊維を高融点繊維に融着することにより低融点繊維を介して高融点繊維間を接合して構成される不織布と、前述の不織布を内包するとともに不透液性材料により構成される袋部材と、前述の袋部材に内包される液体及び／又は前記液体の蒸気とを備える。
【０００８】
このマットによれば、袋部材が液体のみならず不織布をも内包することから、液体のみを内包する場合と比べて、マットを利用する者に適度な弾力性による快適さを与えることができる。また、袋部材が液体及び／又は前記液体の蒸気を内包することから、対象物の温度が液体及び／又は前記液体の蒸気の温度よりも低い場合には対象物に対する高い加温効果を発揮し、対象物の温度が液体及び／又は前記液体の蒸気の温度よりも高い場合には対象物に対する高い冷却効果を発揮することができる。さらに、不織布が低融点繊維を高融点繊維に融着することによって低融点繊維を介して高融点繊維間が接合されることから、未だ原因は明らかではないが、所定方向に対しては高い保液性を有する反面、他の所定方向に対しては高い排液性を有する。これにより、マットが物理的に外力を受けた場合であっても、不織布が適度に保液及び排液を行うため、心地よい弾力性を維持することができる。
【０００９】
また、本発明の１つの浴槽装置は、低融点繊維を高融点繊維に融着することにより低融点繊維を介して高融点繊維間を接合して構成される不織布と、前述の不織布を内包するとともに透液性材料により構成される袋部材とを有するマットと、液体を貯留するとともに、その液体中に前述のマットが配置された浴槽とを備える。
【００１０】
この浴槽装置によれば、袋部材が液体のみならず不織布を内包することから、液体のみを内包する場合と比べて、液体中にマットが配置された浴槽装置を利用する者に適度な弾力性による快適さを与えることができる。また、袋部材が液体を内包することから、対象物の温度が液体の温度よりも低い場合には対象物に対する高い加温効果を発揮し、対象物の温度が液体の温度よりも高い場合には高い冷却効果発揮することができる。さらに、不織布が低融点繊維を高融点繊維に融着することにより低融点繊維を介して高融点繊維間が接合されることから、所定方向に対しては高い保液性を有する反面、他の所定方向に対しては高い排液性を有する。また、不織布を採用することにより、マット（換言すれば、不織布とも言える）が物理的に外力を受けた場合であっても、不織布が適度に保液及び排液を行うため、心地よい弾力性を維持することができる。また、袋部材が透液性材料により構成されるため、マットが浴槽に浸漬された際には、浴槽内の液体が袋部材を透過することにより不織布に浸透する。他方、マットを浴槽から取り出した際には、一旦浸透した液体が不織布からその袋部材を透過することにより排液される。このため、使用時以外はマット内から液体を除去することができるため、袋部材及び不織布の劣化を遅延させることができるとともに、そのマットの保管は容易になる。
【００１１】
また、本発明の１つのベッドは、低融点繊維を高融点繊維に融着することにより低融点繊維を介して高融点繊維間を接合して構成される不織布と、液体を貯留するとともに、その液体中に前述の不織布の少なくとも一部が配置された浴槽と、その不織布及びその浴槽の上方を覆う不透液性材料により構成されるカバーとを備える。
【００１２】
このベッドによれば、液体中に不織布の少なくとも一部を配置する浴槽を備えることから、ベッドを利用する者に適度な弾力性による快適さを与えることができる。また、不織布の少なくとも一部が液体を含むことから、対象物の温度が液体の温度よりも低い場合には対象物に対する高い加温効果を発揮し、対象物の温度が液体の温度よりも高い場合には高い冷却効果発揮することができる。さらに、不織布が低融点繊維を高融点繊維に融着することにより低融点繊維を介して高融点繊維間が接合されることから、所定方向に対しては高い保液性を有する反面、他の所定方向に対しては高い排液性を有する。また、不織布を採用することにより、不織布が物理的に外力を受けた場合であっても、不織布が適度に保液及び排液を行うため、心地よい弾力性を維持することができる。また、カバーが不透液性材料により構成される。このため、カバー上に位置する利用者が浴槽または不織布に含まれる液体に直接触れることがないため、利用者が濡れることがない。他方、不織布を浴槽から取り出した際には、一旦浸透した液体が不織布から排液される。このため、使用時以外は不織布内から液体を除去することができるため、不織布の劣化を遅延させることができるとともに、不織布やカバーの保管は容易になる。
【発明の効果】
【００１３】
本発明の１つのマットは、そのマットの利用者に対して心地よい弾力性を与えるとともに、高い加温効果又は高い冷却効果を与えることができる。
【００１４】
また、本発明の１つの浴槽装置は、その浴槽装置の利用者に対して心地よい弾力性を与えるとともに、高い加温効果又は高い冷却効果を与えることができる。
【００１５】
また、本発明の１つのベッドは、そのベッドの利用者に対して心地よい弾力性を与えるとともに、高い加温効果又は高い冷却効果を与えることができる。
【発明を実施するための最良の形態】
【００１６】
次に、本発明の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケール通りに示されていない。また、各図面を見やすくするために、一部の符号が省略されうる。
【００１７】
＜第１の実施形態＞
図１は、本実施形態のマット１００を示す斜視図である。また、図２は、図１のＡ−Ａ断面図である。なお、図面を見やすくするために、図２における不織布２０の紙面手前側の液体３０は描かれていない。
【００１８】
図１及び図２に示すマット１００は、不織布２０と、不織布２０を内包する袋部材１０と、袋部材１０に内包される液体３０とを備える。
【００１９】
本実施形態の袋部材１０は、ポリエチレン樹脂、ポリプロピレン樹脂、ウレタン樹脂、塩化ビニル樹脂等の不透液性材料により構成される。なお、袋部材１０の強度を高める観点ではウレタン樹脂が好ましく、製造コストを低減する観点では塩化ビニル樹脂が好ましい。このように袋部材１０が不透液性材料により構成されることから、内部に貯留される液体３０が袋部材１０を透過して外部へ漏れだすことがない。また、袋部材１０は熱伝導性の高い材料であることが好ましい。袋部材１０が熱伝導性の高い材料であれば、袋部材１０に加熱機器（例えば、公知のＰＴＣヒータ）を当接して内部の液体３０を加熱することができるためである。また、この場合、袋部材１０は耐熱性樹脂であることがさらに好ましい。上述の熱伝導性の高い材料及び耐熱性の高い材料は公知の材料（例えば、アルミナを添加したポリフェニレンサルファイド樹脂）が適用しうる。
【００２０】
本実施形態の不織布２０は、低融点繊維を高融点繊維に融着することにより低融点繊維を介して高融点繊維間を接合して構成される。
【００２１】
ここで、不織布２０を構成する高融点繊維は、捲縮を有する熱可塑性捲縮合成繊維であることが好ましい。さらに、高融点繊維の繊度は１ｄｔｅｘ以上３０ｄｔｅｘ以下であることが好ましく、３ｄｔｅｘ以上６ｄｔｅｘ以下（本実施形態では約４ｄｔｅｘ）であることが、さらに好ましい。また、繊維長は３０ｍｍ以上（本実施形態では３４ｍｍ）であることが好ましい。加えて、高融点繊維は不織布２０全体の５０重量％以上９５重量％以下を占めることが好ましく、嵩密度は、０．０１ｇ／ｃｍ３以上０．１ｇ／ｃｍ３以下であることが好ましい。また、高融点繊維は、それ自体が保液しないように、保液性のないポリエステル繊維やポリプロピレン繊維等の疎水性合成繊維を用いることが好ましい。但し、ある程度の弾力性を担保するため、３０％以下の範囲内において保水性合成繊維（例えば、レーヨンやアクリル等）を混合させてもよい。なお、高融点繊維の繊度が１ｄｔｅｘ未満であれば、嵩高にすることができるが、保液性が過度に高まる。その結果、不織布が外力を受けた場合に適度な排液ができず、利用者に対して心地よい弾力性を与えることが困難となる。加えて、不織布２０自体の圧縮弾性回復力も低減するため、この面からも利用者に対して心地よい弾力性を与えることが困難となる。他方、高融点繊維の繊度が３０ｄｔｅｘを超えると、捲縮を付け難くなるため、嵩密度が増加して保湿性が低下すると考えられる。
【００２２】
他方、不織布２０を構成する低融点繊維は、高融点ポリマーを芯成分とし、低融点ポリマーを鞘成分とすることが好ましい。さらに、繊維長は３０ｍｍ以上であることが好ましい。また、低融点繊維は不織布２０全体の５重量％以上５０重量％以下を占めることが好ましい。さらに、高融点ポリマーと低融点ポリマーとの溶融温度差は１０℃以上（本実施形態ではその差は約２０℃）であることが好ましい。なお、芯鞘複合繊維は、テレフタル酸やイソフタル酸を酸成分とし、エチレングリコール、プロピレングリコール、ジエチレングリコール等のジオール成分と共重合したポリエステル共重合体を鞘成分ポリマーとし、ポリエチレンテレフタレート、ポリブチレンテレフタレート、ポリトリメチレンテレフタレート、ポリエーテル系ポリエステル等を芯成分ポリマーとすることが好ましい。
【００２３】
本実施形態の不織布２０を採用することにより、所定方向に対しては高い保液性を有する反面、他の所定方向に対しては高い排液性を有する。本実施形態では、液体３０が、各繊維間に形成される毛細管のような微細空間を通じて、毛細管現象によって不織布２０内に浸透するものと考えられる。従って、不織布２０は、物理的な外力を受けることなく、液体を内部に浸透させることができるとともに、その微細空間を利用することにより保液性を有すると考えられる。他方、物理的な外力を受けた場合には、毛細管のような微細空間が収縮する。その結果、一旦、毛細管現象により浸透した液体は、不織布の外部に排液されると考えられる。特に、前述の疎水性合成繊維を採用することにより、排液性能がさらに向上し得る。このように、本実施形態のマット１００は、不織布２０に液体を浸透させるとともに排液し得る構成を有するため、例えば、利用者がそのマット上に座ることによって物理的な外力が与えられた場合であっても、不織布２０が適度に保液及び排液を行うため、利用者に対して心地よい弾力性を与えることができる。
【００２４】
本実施形態の液体３０は、空気よりも熱伝導率の高い水で構成される。この水には、純水の他、塩水、活性水、アルカリ水、酸性水、温泉水、海水、地下水、井戸水、軟水、硬水等の様々な態様の水が含まれる。但し、この液体３０は、水に限定されることはない。空気よりも熱伝導率の高い液体の例として、アルコール等が挙げられる。但し、管理と取扱いの容易性、及び安全性の観点から、液体３０は水であることが好ましい。この液体３０は、空気よりも熱伝導率が高いため、利用者に対して空気よりも早く熱を与えることができる。また、この液体３０は、マット１００に対して物理的な外力が加わっていない状態では、不織布２０の繊維間に形成される微細空間に保持され得る。一方、マット１００に対して物理的な外力が加わることによって不織布２０が変形された状態では、不織布２０の繊維間に形成される微細空間が収縮する。その結果、微細空間に保持しきれなくなった液体３０の一部が、不織布２０の外側へ排出される。
【００２５】
このマット１００は、液体３０を保持及び排出し得る不織布２０を備えることから、利用者に対して心地よい弾力性を与える。また、このマット１００は、その内部に液体３０を備えることから、空気等の気体に比べて熱伝導性も高い。このため、高い加温効果が期待できる。また、例えば、液体３０が水であった場合、一旦温められた液体３０の保熱性が高いことから、利用者を継続的に暖めることも可能である。尚、このマット１００は、内部の液体３０を加温して利用者を暖めることも可能であるとともに、内部の液体３０を冷却して利用者を冷やすことも可能である。
【００２６】
＜第１の実施形態の変形例＞
図３は、第１の実施形態の変形例のマット１０１を示す概略断面図である。
【００２７】
図３に示すマット１０１は、袋部材１０内部の半分程度が液体３０で満たされ、他の部分が液体３０の蒸気３１によって充填されている点で、液体３０のみで袋部材１０内の全体が充填されている第１の実施形態のマット１００と異なる。その他の構成は、特に言及が無いかぎり第１の実施形態と同じである。従って、第１の実施形態と重複する説明は省略され得る。
【００２８】
このマット１０１は、液体３０及び液体３０の蒸気３１によって袋部材１０内が充填されていることから、液体３０のみで袋部材１０内を充填させる場合に比べて、利用者に心地よい弾力性を与えることができる。
【００２９】
＜第２の実施形態＞
図４は、本実施形態のマット２００を示す斜視図である。また、図５は、図４のＢ−Ｂ断面図である。なお、図面を見やすくするために、図５における不織布２０の紙面手前側の液体３０は描かれていない。
【００３０】
図４及び図５に示すマット２００は、第１の実施形態の袋部材１０に換えて袋部材２１０を備え、さらに蓋体２４０を備える点で、第１の実施形態におけるマット１００と異なる。その他の構成は、特に言及が無いかぎり第１の実施形態と同じである。従って、第１の実施形態と重複する説明は省略され得る。
【００３１】
図４及び図５に示す袋部材２１０は、第１の実施形態の袋部材１０と同じ材料により構成される。しかし、袋部材２１０には、孔部２１１が形成されている。このため、この孔部２１１を通じて液体３０を流入させることや排出させることが可能である。
【００３２】
また、図４及び図５に示すように、蓋体２４０は、袋部材２１０の孔部２１１を液密な状態で閉塞する。この蓋体２４０は、孔部２１１に対して、公知の固定手段により着脱可能に固定される。このため、この蓋体２４０が孔部２１１に固定された状態では、袋部材２１０に内包される液体３０が孔部２１１から、マット２００の外部に流出することがない。一方、この蓋体２４０が孔部２１１から取り外された状態では、袋部材２１０に内包される液体３０を孔部２１１からマット２００の外部に排出させることができる。さらに、袋部材２１０から液体３０を一旦排出した後、再度孔部２１１から液体３０を流入させることができる。
【００３３】
本実施形態のマット２００は、マット２００の外側から加温又は冷却することによりマット２００の温度を調整するだけでなく、液体３０自体を入れ替えることによりマット２００の温度を調整することができる。また、不使用時においては、液体３０を排出しておくことにより、袋部材２１０や不織布２０の劣化を遅延させることができるとともに、マット２００の保管を容易にすることができる。
【００３４】
また、本実施形態のマット２００は、第１の実施形態の変形例のマット１０１と同様に、袋部材２１０内部の一部が液体３０で満たされ、他の部分が液体３０の蒸気によって充填されていても良い。このように、液体３０と液体３０の蒸気によって袋部材２１０内が充填されることにより、液体３０のみで袋部材２１０内を充填させる場合に比べて、利用者に心地よい弾力性を与えることができる。
【００３５】
＜第３の実施形態＞
図６は、本実施形態のマット３００及び液体循環装置３５０を示す概略断面図である。
【００３６】
図６に示すマット３００は、第１の実施形態の袋部材１０に代えて袋部材３１０を備える。また、本実施形態のマット３００は、排出管３５１及び流入管３５２を介して液体循環装置３５０に接続されている。前述の各構成を除き、マット３００は、第１の実施形態におけるマット１００と同じである。従って、第１の実施形態と重複する説明は省略され得る。
【００３７】
図６に示す袋部材３１０は、第１の実施形態の袋部材１０と同じ材料により構成される。しかし、袋部材３１０は、液体３０を排出するための排出口３１１及び液体を流入するための流入口３１２が形成されている。
【００３８】
また、図６に示す液体循環装置３５０は、排出口３１１に接続される排出管３５１と、流入口３１２に接続される流入管３５２と、ポンプ３５３と、濾過装置３５４と、温度制御装置３５５とを備える。ここで、ポンプ３５３は、液体３０を、液体循環装置３５０から、流入管３５２、マット３００、及び排出管３５１を経由して、再び液体循環装置３５０に戻すように循環させる。濾過装置３５４は、マット３００内、排出管３５１、及び流入管３５２の間で循環される液体３０内の不純物等を取り除く。また、温度制御装置３５５は、マット３００内、排出管３５１、及び流入管３５２の間で循環される液体３０の温度を所定の温度に調整する。これらポンプ３５３、濾過装置３５４、及び温度制御装置３５５は、それぞれ公知の技術により構成されており、図示しない制御装置により制御されている。
【００３９】
上述の構成により、マット３００の温度を自在に調整することができる。また、ポンプ３５３により、マット３００内の液体３０の量を自在に調整することができる。これにより、所望の弾力性を持つマットが得られる。さらに、不使用時においては、ポンプ３５３、濾過装置３５４、及び温度制御装置３５５を停止させることにより、省エネルギーにも貢献することができる。なお、水は、アルコールやベンジン等よりも保熱性が高いことが知られている。そこで、液体３０として保熱性の高い水を選択した場合、アルコールやベンジン等を選択した場合と比較して、マット３００は、ある程度の時間であれば、前述の各装置を停止させたとしても、利用者を暖めたり冷やしたりすることができる。また、不使用時においては、排出口３０からマット３００内のほぼ全ての液体３０を排出しておくことにより、袋部材３１０や不織布２０の劣化を遅延させることができるとともに、マット３００の保管を容易にすることができる。
【００４０】
＜第４の実施形態＞
図７は、本実施形態のマット４００及び浴槽４６０を示す概略断面図である。
【００４１】
図７に示すマット４００は、第１の実施形態の袋部材１０に代えて袋部材４１０を備える。また、マット４００は、液体３０を貯留する浴槽４６０内に浸漬されている。前述の各構成を除き、マット４００は、第１の実施形態と同じである。従って、第１の実施形態と重複する説明は省略され得る。
【００４２】
図７に示す袋部材４１０は、織物等の透液性材料により構成される。このため、浴槽４６０に貯留される液体３０が袋部材４１０を透過して袋部材４１０の内部に流入する。マット４００が浴槽４６０に浸漬され、袋部材４１０の内部に液体３０が流入すると、不織布２０の保液性により、液体３０が不織布２０内に保持される。なお、袋部材４１０は耐熱性材料であることが好ましい。袋部材４１０が耐熱性材料であれば、６０℃程度の高温の液体３０を貯留する浴槽４６０に浸漬しても耐え得るためである。
【００４３】
上述の構成により、浴槽４６０内の液体３０の温度を制御すれば、マット４００の温度を自在に調整することができる。また、不使用時においては、マット４００を浴槽４６０から取り出すことにより、袋部材４１０内部に流入していた液体３０が排出され得る。このようにすれば、袋部材４１０や不織布２０の劣化を遅延させることができるとともに、マット４００の保管を容易にすることができる。
【００４４】
＜第５の実施形態＞
図８は、本実施形態のベッド５００を示す概略断面図である。
【００４５】
図８に示すベッド５００は、第４の実施形態の袋部材４１０の代わりに、不織布２０及び浴槽４６０の上方を覆うカバー５１０を備える。前述の構成を除き、ベッド５００は、第４の実施形態と同一の浴槽４６０、液体３０、及び不織布２０を備える。
【００４６】
図８に示すベッド５００を構成するカバー５１０は、ポリエチレン樹脂、ポリプロピレン樹脂、ウレタン樹脂、塩化ビニル樹脂等の不透液性材料により構成される。また、第４の実施形態における袋部材４１０と同様に、カバー５１０は耐熱性材料であることが好ましい。カバー５１０が耐熱性材料であれば、６０℃程度の高温の液体３０を貯留する浴槽４６０上を覆うことができるためである。尚、このベッド５００は、内部の液体３０を加温して利用者を暖めることも可能であるとともに、内部の液体３０を冷却して利用者を冷やすことも可能である。すなわち、内部の液体３０の温度が利用者の体温よりも高い場合は、利用者を暖めることができる一方で、内部の液体３０の温度が利用者の体温よりも低い場合は、利用者を冷やすことができる。
【００４７】
また、本実施形態では、浴槽４６０に貯留される液体３０の上面を、不織布２０の最も高い位置よりも低い位置にしている。そうすると、カバー５１０上に位置する利用者がカバー５１０を介して不織布２０に触れることができる。その結果、液体３０の弾力性のみに頼らず、液体３０、液体３０の蒸気３１、及び不織布２０の各々の弾力性を合わせた適度な弾力性を利用者に与えることができる。但し、浴槽４６０に貯留される液体３０の上面を不織布２０の最も高い位置よりも高い位置にしても構わない。
【００４８】
＜第５の実施形態の変形例＞
図９は、第５の実施形態の変形例のベッド６００を示す概略断面図である。
【００４９】
図９に示すベッド６００を構成するカバー６１０が、防水加工がなされた布地で構成される点で、浴槽４６０が液体３０のみで充填される第５の実施形態のベッド５００と異なる。その他の構成は、特に言及が無いかぎり第５の実施形態と同じである。従って、第５の実施形態と重複する説明は省略され得る。
【００５０】
また、ベッド６００を構成するカバー６１０は、防水加工がなされた布地で構成されるため、液体３０を透過させることがない一方で、液体３０の蒸気３１を透過させることができる。このため、カバー６１０上に位置する利用者に対して、蒸し風呂と同様の効果を与えることができる。
【００５１】
ところで、第１の実施形態の変形例において、袋部材１０の半分程度が液体３０で満たされ、他の部分が液体３０の蒸気３１で充填されている構成を採用しているが、このような構成に限定されない。例えば、袋部材１０の半分を超える割合の部分が液体３０で満たされても良く、袋部材１０の半分未満の割合の部分が液体３０で満たされても良い。このように、液体３０の割合を増減することにより、利用者の好みに合わせて弾力性を変化させることができる。
【００５２】
また、第４の実施形態における浴槽４６０に対して、第３の実施形態に記載するような液体循環装置を接続して、液体３０の温度制御等を行うことは、好ましい一態様である。液体循環装置を採用すれば、浴槽内の不純物のろ過が利用者の健康に良い上に、不織布２０の劣化も防止され得る。
【００５３】
また、第４の実施形態では、透液性材料により構成される袋部材４１０を採用しているが、少なくとも１つ以上の孔部が形成された不透液性材料により構成される袋部材を採用しても良い。この場合には、孔部を介して袋部材の内部に液体が流入するため、第４の実施形態と同様の効果を得ることができる。
【産業上の利用可能性】
【００５４】
本発明は、マット、浴槽装置、及びベッドとして広く利用され得る。
【図面の簡単な説明】
【００５５】
【図１】本発明の１つの実施形態におけるマットを示す斜視図である。
【図２】図１のＡ−Ａ断面図である。
【図３】本発明の１つの実施形態の変形例におけるマットを示す概略断面図である。
【図４】本発明の他の実施形態におけるマットを示す斜視図である。
【図５】図４のＢ−Ｂ断面図である。
【図６】本発明の他の実施形態におけるマット及び液体循環装置を示す概略断面図である。
【図７】本発明の他の実施形態におけるマット及び浴槽を示す概略断面図である。
【図８】本発明の他の実施形態におけるベッドを示す概略断面図である。
【図９】本発明の他の実施形態の変形例におけるベッドを示す概略断面図である。
【符号の説明】
【００５６】
１０，２１０，３１０，４１０    袋部材
２０    不織布
３０    液体
３１    蒸気
１００，１０１，２００，３００，４００    マット
２１１    孔部
２４０    蓋体
３１１    排出口
３１２    流入口
３５０    液体循環装置
３５１    排出管
３５２    流入管
３５３    ポンプ
３５４    濾過装置
３５５    温度制御装置
４６０    浴槽
５００    ベッド
５１０    カバー
６００    ベッド
６１０    カバー
【図１】
2010051537.tif 000003
【図２】
2010051537.tif 000004
【図３】
2010051537.tif 000005
【図４】
2010051537.tif 000006
【図５】
2010051537.tif 000007
【図６】
2010051537.tif 000008
【図７】
2010051537.tif 000009
【図８】
2010051537.tif 000010
【図９】
2010051537.tif 000011